(57)【特許請求の範囲】
【請求項１】
ホログラム記録材料層に露光して印刷する複製機に用いられる原版設置装置であって、
原版台と、
前記原版台に設置され、原版を保持する仮台と、を備え、
前記原版台に対して前記仮台が固定され、
前記仮台は、前記原版を固定し、
前記原版台は、前記仮台の一側面に当接する仮台固定用あて止め部と、該仮台の他側面に当接する側面仮台位置決め部と、を有し、前記仮台は、前記仮台固定用あて止め部と前記側面仮台位置決め部とによって前記原版台上で位置合わせされた状態で固定され、
前記仮台は、前記原版の一側面に当接する第一側面原版支持部と、該原版の他側面に当接する第二側面原版支持部とを有し、前記原版は、前記第一側面原版支持部と前記第二側面原版支持部とによって前記仮台上で位置合わせされた状態で固定され、
前記原版が前記仮台に対して予め位置合わせされた状態で、前記原版及び前記仮台を前記原版台に対して設置可能となっていることを特徴とする原版設置装置。
【請求項２】
前記仮台固定用あて止め部は、前記原版台が設置される平面において角度を調整可能となっていることを特徴とする請求項１に記載の原版設置装置。
【請求項３】
前記側面仮台位置決め部は、一対の側面仮台位置決めピンを有することを特徴とする請求項１又は２のいずれかに記載の原版設置装置。
【請求項４】
前記仮台は、前記ホログラム記録材料層の長手方向に沿った方向で端部となっている一対の側面と、前記一対の側面の間で延びる端面のうちの一方である前面と、前記一対の側面の間で延びる端面のうちの他方である後面とを有し、前記原版台は、前記仮台の前記後面に当接する後面仮台位置決め部、及び、前記仮台の前記前面に当接する前面仮台位置決め部のうち、少なくともいずれか一方を有することを特徴とする請求項１乃至３のいずれか１項に記載の原版設置装置。
【請求項５】
前記第一側面原版支持部は２つの第一側面原版支持体を有することを特徴とする請求項１に記載の原版設置装置。
【請求項６】
前記原版は、前記ホログラム記録材料層の長手方向に沿った方向で端部となっている一対の側面と、前記一対の側面の間で延びる端面のうちの一方である前面と、前記一対の側面の間で延びる端面のうちの他方である後面とを有し、前記仮台は、前記原版の前記後面に当接する後面原版支持部と、該原版の前記前面に当接する前面原版支持部とを有することを特徴とする請求項１乃至５のいずれか１項に記載の原版設置装置。
【請求項７】
前記後面原版支持部は２つの後面原版支持体を有する、又は、前記前面原版支持部は２つの前面原版支持体を有することを特徴とする請求項６に記載の原版設置装置。
【請求項８】
前記仮台は、前記原版の上面を押さえる浮き抑え部をさらに有することを特徴とする請求項１乃至７のいずれか１項に記載の原版設置装置。
【請求項９】
前記浮き抑え部は、前記原版の四隅の上面を押さえる４つの浮き抑えを有することを特徴とする請求項８に記載の原版設置装置。
【請求項１０】
前記浮き抑え部は、前記原版の上面と間隙なく配置することができることを特徴とする請求項８又は９のいずれかに記載の原版設置装置。
【請求項１１】
ホログラム記録材料層を供給するホログラム記録材料層供給部と、
原版を設置するための原版設置装置と、
原版に設けられた転写元絵柄をホログラム記録材料層に印刷するためのレーザ光を照射するレーザ照射部と、
印刷済みのホログラム記録材料層を回収するホログラム記録材料層回収部と、を備え、  前記原版設置装置は、原版台と、前記原版台に設置され、原版を保持する仮台と、を有し、
前記原版台に対して前記仮台が固定され、
前記仮台は、前記原版を固定し、
前記原版台は、前記仮台の一側面に当接する仮台固定用あて止め部と、該仮台の他側面に当接する側面仮台位置決め部と、を有し、前記仮台は、前記仮台固定用あて止め部と前記側面仮台位置決め部とによって前記原版台上で位置決めされた状態で固定され、
前記仮台は、前記原版の一側面に当接する第一側面原版支持部と、該原版の他側面に当接する第二側面原版支持部とを有し、前記原版は、前記第一側面原版支持部と前記第二側面原版支持部とによって前記仮台上で位置決めされた状態で固定され、
前記原版が前記仮台に対して予め位置合わせされた状態で、前記原版及び前記仮台を前記原版台に対して設置可能となっていることを特徴とする複製機。
【発明の詳細な説明】
【技術分野】
【０００１】
本発明は、ホログラム記録材料層にリップマンホログラム等の体積ホログラムを印刷する際に用いられる原版設置装置と、このような原版設置装置を備えた複製機に関する。
【背景技術】
【０００２】
従来から、ガラス基板と、ガラス基板に接着され、転写元絵柄が印刷されたフィルムとを有する原版が知られている。また、原版のフィルムの転写元絵柄を、ホログラム記録材料層に露光して焼き付けることで印刷する複製機も知られている。この複製機は、原版を設置するための原版台と、ホログラム記録材料層を所定の方向に移動させる移動部と、原版のフィルムの転写元絵柄をホログラム記録材料層に露光して焼き付けるレーザ光を照射するレーザ照射部と、余計なレーザ光がホログラム記録材料層に照射されることを防止するための遮光ブレードと、を有している。
【０００３】
原版台に原版を位置合わせする際には、まず、原版台に原版をホログラム記録材料層の進行方向と絵柄とが平行になるように配置する。なお、ホログラム記録材料層は、移動部によって、コマ送りで移動され、印刷時にはホログラム記録材料層は停止され、印刷が終了するとホログラム記録材料層が移動される。
【０００４】
原版台に原版が配置されると、ホログラム記録材料層を原版のフィルムに貼り合わせて、レーザ照射部からレーザ光を照射することで、ホログラム記録材料層に転写元絵柄が印刷される。その後、ホログラム記録材料層に印刷された絵柄を発色及び定着させるために、加熱、ＵＶ照射の工程が行われる。
【０００５】
次いで、絵柄の印刷されたホログラム記録材料層が目視で確認され、具体的には、決められた絵柄が印刷されているか、絵柄の途切れ、隙間、かけ等がないかが、ルーペを介して、目視で確認されている。
【０００６】
確認を行った結果、決められた絵柄がなかったり、絵柄に途切れ、隙間、かけ等があったりした場合には、原版を交換するか、又は、原版及び遮光ブレードの位置調整を行う。そして、絵柄の途切れ、隙間、かけ等がなくなるまで、原版及び遮光ブレードの位置調整を繰り返す。
【０００７】
上述のような態様では、作業が多いため、原版の配置には多くの時間を必要としていた。
【０００８】
そこで、このような原版の配置時間を短縮するために、特許文献１では、ホログラム複製用原版の保持装置が提案されている。しかしながら、特許文献１では、保持方法の提案だけに留まっており、原版を精度良く配置することは提案されていない。
【０００９】
ところで、上述したように、ホログラム記録材料層と原版のフィルムとを貼り合わせて、レーザ光を照射して転写元絵柄をフィルムに印刷するが、貼り合わせたホログラム記録材料層が原版のフィルムから剥がれなくなる現象が起こることがある。このため、原版のフィルムに離型剤を塗布してホログラム記録材料層を剥がれやすくする必要がある。
【００１０】
原版のフィルムに離型剤を塗布してから８時間以上経過しないと有益な離型効果が期待できないので、原版のフィルムに離型剤を塗布した後、８時間以上経過してから複製を開始する必要がある。なお、位置調整に時間がかかると離型剤が乾いてしまうことや、離型剤を塗った後で離型剤を剥がさないようにして原版を搬送することが難しかったことから、一般には、原版台に対して原版を位置合わせした後で離型剤を塗る作業を行っている。
【００１１】
ところで、離型剤を塗って８時間以上経過した後であっても、離型剤による離型効果はそれほど長く続かず、１０００ショット程度の印刷分しか保てない。
【先行技術文献】
【特許文献】
【００１２】
【特許文献１】特開平１１−２４９５３５号公報
【発明の概要】
【発明が解決しようとする課題】
【００１３】
以上のような点に鑑み、本発明は、原版台に対する原版の位置合わせを容易かつ短時間にすることができ、かつ、離隔剤を塗布した後に長時間待つことなく複製機を連続して使用することができる原版設置装置、及び、このような原版設置装置を備えた複製機を提供することを目的とする。
【課題を解決するための手段】
【００１４】
本発明による原版設置装置は、
ホログラム記録材料層に露光して印刷する複製機に用いられる原版設置装置であって、
原版台と、
前記原版台に設置され、原版を保持する仮台と、を備え、
前記原版台に対して前記仮台が固定され、
前記仮台が、前記原版を固定する。
【００１５】
本発明による原版設置装置において、
前記原版台は、前記仮台の一側面に当接する仮台固定用あて止め部と、該仮台の他側面に当接する側面仮台位置決め部と、を有してもよい。
【００１６】
本発明による原版設置装置において、
前記仮台固定用あて止め部は、θ方向に移動可能となってもよい。
【００１７】
本発明による原版設置装置において、
前記側面仮台位置決め部は、一対の側面仮台位置決めピンを有してもよい。
【００１８】
本発明による原版設置装置において、
前記原版台は、前記仮台の後面に当接する後面仮台位置決め部、及び、前記仮台の前面に当接する前面仮台位置決め部のうち、少なくともいずれか一方を有してもよい。
【００１９】
本発明による原版設置装置において、
前記仮台は、前記原版の一側面に当接する第一側面原版支持部と、該原版の他側面に当接する第二側面原版支持部とを有してもよい。
【００２０】
本発明による原版設置装置において、
前記第一側面原版支持部は２つの第一側面原版支持体を有してもよい。
【００２１】
本発明による原版設置装置において、
前記仮台は、前記原版の後面に当接する後面原版支持部と、該原版の前面に当接する前面原版支持部とを有してもよい。
【００２２】
本発明による原版設置装置において、
前記後面原版支持部は２つの後面原版支持体を有するか、又は、前記前面原版支持部は２つの前面原版支持体を有してもよい。
【００２３】
本発明による原版設置装置において、
前記仮台は、前記原版の上面を押さえる浮き抑え部をさらに有してもよい。
【００２４】
本発明による原版設置装置において、
前記浮き抑え部は、前記原版の四隅の上面を押さえる４つの浮き抑えを有してもよい。
【００２５】
本発明による原版設置装置において、
前記浮き抑え部は、前記原版の上面と間隙なく配置されてもよい。
【００２６】
本発明による複製機は、
ホログラム記録材料層を供給するホログラム記録材料層供給部と、
原版を設置するための原版設置装置と、
原版に設けられた転写元絵柄をホログラム記録材料層に印刷するためのレーザ光を照射するレーザ照射部と、
印刷済みのホログラム記録材料層を回収するホログラム記録材料層回収部と、を備え、
前記原版設置装置が、原版台と、前記原版台に設置され、原版を保持する仮台と、を有し、
前記原版台に対して前記仮台が固定され、
前記仮台が、前記原版を固定する。
【発明の効果】
【００２７】
本発明によれば、原版台に原版を保持する仮台が設けられ、原版台に対して仮台が固定されて、当該仮台が原版を固定する。このため、原版台に対する原版の位置合わせを容易かつ短時間にすることができる。
【００２８】
また、次に使用する原版に離型剤を予め塗って準備しておき、使用中の原版を仮台ごと原版台から取り外して、準備しておいた原版を仮台ごと原版台に設置することができるので、複製機を連続して使用することができる。
【図面の簡単な説明】
【００２９】
【図１】本発明の実施の形態による複製機の構成を示した概略側方図。
【図２】本発明の実施の形態による原版設置装置の構成を示した概略上方平面図、及び、直線Ｂ−Ｂ’で切断した概略断面図。
【図３】本発明の実施の形態による仮台に原版を初めて設置して、ホログラム記録材料層にホログラムを印刷して生産する際の工程を示したフロー図。
【図４】本発明の実施の形態による仮台に対して原版を適切に調整した後（２回目以降）に、ホログラム記録材料層にホログラムを印刷して生産する際の工程を示したフロー図。
【発明を実施するための形態】
【００３０】
実施の形態
《構成》
以下、本発明に係る原版設置装置及び複製機の実施の形態について、図面を参照して説明する。ここで、図１乃至図４は本発明の実施の形態を説明するための図である。本実施の形態の原版設置装置１及び複製機は、ホログラム記録材料層Ｈにリップマンホログラム等の体積ホログラムを印刷する際に用いられる。
【００３１】
（複製機）
まず、ホログラム記録材料層Ｈに露光して印刷する複製機の構成について説明する。
【００３２】
図１に示すように、複製機は、セパレーターが貼り付けられたホログラム記録材料層Ｈが巻き掛けられ、当該セパレーター付きのホログラム記録材料層Ｈを供給するホログラム記録材料層供給部９０と、合紙が貼り付けられた印刷済みのホログラム記録材料層Ｈ’を巻き取るホログラム記録材料層巻取部９５（特許請求の範囲の「ホログラム記録材料層回収部」に該当する。）と、を有する。複製機は、ホログラム記録材料層Ｈに貼り付けられていたセパレーターを巻き取るセパレーター巻取部９１と、印刷済みのホログラム記録材料層Ｈ’に貼り付ける合紙を供給する合紙操出部９６と、合紙に貼り付けられていたセパレーターを巻き取るセパレーター巻取部９７と、をさらに備える。
【００３３】
上述したホログラム記録材料層供給部９０及びホログラム記録材料層巻取部９５と、ホログラム記録材料層Ｈを案内する複数の案内ローラ９９によって、ホログラム記録材料層Ｈを所定の方向に移動させる移動部が構成されている。そして、ホログラム記録材料層Ｈは、移動部によって、コマ送りで移動され、印刷時にはホログラム記録材料層Ｈは停止され、印刷が終了するとホログラム記録材料層Ｈが移動される。
【００３４】
後述する原版５０の側方には剥離供給ヘッド９２が設けられ、当該剥離供給ヘッド９２によって、ホログラム記録材料層Ｈからセパレーターが剥がされ、かつ、ホログラム記録材料層Ｈが原版５０に供給される。具体的には、まず、剥離供給ヘッド９２が上方に移動して印刷済みのホログラム記録材料層Ｈ’が原版５０から剥がされる。次に、ホログラム記録材料層巻取部９５によって印刷済みのホログラム記録材料層Ｈ’が巻き取られつつ剥離供給ヘッド９２が図１の右方向に移動する。この際、ホログラム記録材料層Ｈからセパレーターが剥がされてセパレーター巻取部９１に巻き取られることとなる。なおこの際、剥離供給ヘッド９２は遮光ブレード３０に図１の左側から当接し、遮光ブレード３０を右方向に移動させる。次に、剥離供給ヘッド９２が下方に移動し、その後、剥離供給ヘッド９２が左方向に移動することで、原版５０にホログラム記録材料層Ｈが供給されることになる。
【００３５】
図１に示すように、複製機は、原版５０を設置するための原版設置装置１（図１では原版５０のみを示している。原版設置装置１については図２（ａ）（ｂ）を参照されたい。）と、原版５０のフィルム５２（後述する）の転写元絵柄をホログラム記録材料層Ｈに露光して焼き付けるレーザ光Ｌを照射するレーザ照射部４０と、余計なレーザ光Ｌがホログラム記録材料層Ｈに照射されることを防止するための遮光ブレード３０と、をさらに備えている。なお、遮光ブレード３０は２つ設けられているが、２つの遮光ブレード３０の間の間隔は、ホログラム記録材料層Ｈが一度に進行する距離よりも、０．１ｍｍから０．２ｍｍだけ長くなるようになっている。
【００３６】
（原版設置装置）
次に、上述した原版設置装置１の構成について説明する。なお、図２（ａ）は、本実施の形態による原版設置装置１の構成を示した概略上方平面図であり、図２（ｂ）は、図２（ａ）を直線Ｂ−Ｂ’で切断した概略断面図である。
【００３７】
図２（ａ）（ｂ）に示すように、原版設置装置１は、原版５０を設置するための原版台２０と、原版台２０に設置されて原版５０を保持する仮台１０と、を備えている。そして、原版台２０に対して仮台１０が固定され、当該仮台１０が原版５０を固定するようになっている。なお、原版５０は、ガラス基板５１と、ガラス基板５１に接着され、転写元絵柄が印刷されたフィルム５２とを有している。なお、仮台１０は、変形しにくい例えばステンレス等の金属から作られている。
【００３８】
ところで、図２（ａ）において、左右方向を「Ｘ方向」と呼び、上下方向を「Ｙ方向」と呼ぶ。また、図２（ｂ）において、上下方向を「Ｚ方向」と呼ぶ。また、図２（ａ）において、左から右に向かう方向を「Ｘ方向のプラス方向」と呼び、右から左に向かう方向を「Ｘ方向のマイナス方向」と呼ぶ。また、図２（ａ）において、下から上に向かう方向を「Ｙ方向のプラス方向」と呼び、上から下に向かう方向を「Ｙ方向のマイナス方向」と呼ぶ。
【００３９】
図２（ａ）（ｂ）に示すように、原版台２０は、ホログラム記録材料層Ｈの長手方向に直交して延在し、仮台１０の一側面（Ｘ方向のプラス方向側の面）に当接する仮台固定用あて止め部２１と、仮台１０の他側面（Ｘ方向のマイナス方向側の面）に当接する側面仮台位置決めピン部（特許請求の範囲の「側面仮台位置決め部」に該当する。）２２と、を有している。このうち、側面仮台位置決めピン部２２は、一対の側面仮台位置決めピン２２ａ，２２ｂを有している。
【００４０】
また、図２（ａ）（ｂ）に示すように、原版台２０は、仮台１０の一側面と他側面との間で延びる仮台１０の後面に当接する後面仮台位置決めピン部２３を有している。本実施の形態では、後面仮台位置決めピン部（特許請求の範囲の「後面仮台位置決め部」に該当する。）２３のみが設けられている態様を用いて説明するが、これに限られることはなく、後面仮台位置決めピン部２３の他に、仮台１０の一側面と他側面との間で延びる仮台１０の前面に当接する前面仮台位置決め部が設けられてもよい。
【００４１】
ところで、本願においては、原版設置装置１上に位置するホログラム記録材料層Ｈの長手方向に沿った方向（Ｘ方向）で端部となっている端面を「側面」と呼び、両側面の間で延びる端面のうちの一方を「前面」と呼び、他方を「後面」と呼ぶ。本実施の形態では、Ｙ方向のマイナス方向側の面を「前面」と呼び、図２（ａ）におけるＹ方向のプラス方向側の面を「後面」と呼ぶ。
【００４２】
本実施の形態の仮台固定用あて止め部２１はθ方向に移動可能となり、ＸＹ平面において自在に角度を調整することができるようになっている。
【００４３】
また、図２（ａ）（ｂ）に示すように、仮台１０は、原版５０の一側面（Ｘ方向のプラス方向側の面）に当接する第一側面原版支持部１１と、原版５０の他側面（Ｘ方向のマイナス方向側の面）に当接する第二側面原版支持部１２とを有している。また、仮台１０は、原版５０の後面に当接する後面原版支持部１３と、原版５０の前面に当接する前面原版支持部１４とを有している。
【００４４】
本実施の形態では、第一側面原版支持部１１が２つの第一側面原版支持体１１ａ，１１ｂを有し、第二側面原版支持部１２が１つの第二側面原版支持体１２を有している。また、後面原版支持部１３が２つの後面原版支持体１３ａ，１３ｂを有し、前面原版支持部１４が１つの前面原版支持体１４を有している。なお、本実施の形態では、後面原版支持部１３が２つの後面原版支持体１３ａ，１３ｂを有し、前面原版支持部１４が１つの前面原版支持体１４を有している態様からなっているが、これに限られることはなく、前面原版支持部１４が２つの前面原版支持体を有し、後面原版支持部１３が１つの後面原版支持体を有する態様からなってもよい。
【００４５】
本実施の形態の仮台１０は、原版５０の上面を押さえる浮き抑え部１５をさらに有している。この浮き抑え部１５は、原版５０の四隅の上面を押さえる４つの浮き抑え１６を有している。各浮き抑え１６は、半円形状からなり、回転軸１６ｒを中心に回転可能となっている。そして、半円形状からなる浮き抑え１６が、原版５０の上方に位置する際には、各浮き抑え１６と原版５０の上面との間には間隙が形成されない状態になる。なお、浮き押さえは、下面に薄いプラスチック（図示せず）を有し、当該プラスチックが原版５０の表面を押圧するので、原版５０に傷が入ることを防止することができる。
【００４６】
次に、原版５０を位置決めしてから生産するまでの工程について説明する。
【００４７】
（初回）
最初に、図３を用いて、原版５０を初めて仮台１０に設置して、ホログラム記録材料層Ｈにホログラムを印刷して生産する際の工程について説明する。
【００４８】
まず、原版５０の設置された仮台１０が仮台位置決めピン２２，２３に押し当てられる（図２（ａ）及び図３のＳ１参照）。
【００４９】
次に、３箇所の仮台位置決めピン２２，２３と仮台１０との間に隙間がないことが確かめられる（図２（ａ）及び図３のＳ２参照）。
【００５０】
次に、仮台固定用あて止め部２１が固定される（図２（ａ）及び図３のＳ３参照）。
【００５１】
次に、原版５０の転写元絵柄がホログラム記録材料層Ｈの中心に対して均等に位置するように、原版５０が配置される（図３のＳ４参照）。
【００５２】
次に、原版５０が原版支持部１１，１２，１３，１４によってＸＹ平面内で固定される（図２（ａ）及び図３のＳ５参照）。
【００５３】
次に、遮光ブレード３０の位置が調整される（図２（ｂ）及び図３のＳ６参照）。
【００５４】
次に、浮き押さえが回転され、原版５０の上面が浮き抑え部１５の浮き抑え１６で押さえられる（図２（ａ）（ｂ）及び図３のＳ７参照）。
【００５５】
次に、ホログラム記録材料層Ｈが原版５０のフィルム５２に貼り合わされて、レーザ照射部４０からレーザ光Ｌが照射され、その結果、ホログラム記録材料層Ｈに転写元絵柄が印刷される（図２（ｂ）及び図３のＳ８参照）。その後、ホログラム記録材料層Ｈに印刷された絵柄を発色及び定着させるために、加熱、ＵＶ照射の工程が行われる（図３のＳ８参照）。なお、これら加熱、ＵＶ照射の工程は、複製機とは異なる別の機械によって行われる。
【００５６】
次に、ホログラム記録材料層Ｈの最適な位置に絵柄が印刷されているかが確認される（図３のＳ９参照）。
【００５７】
そして、ホログラム記録材料層Ｈの最適な位置に絵柄が印刷されているようであれば、生産が開始されることとなる（図３のＳ１０参照）。他方、ホログラム記録材料層Ｈの最適な位置に絵柄が印刷されていない場合には、原版５０の転写元絵柄がホログラム記録材料層Ｈの中心に対して均等に位置するように原版５０が配置される工程（図３のＳ４参照）から上述した工程が、再度行われ、ホログラム記録材料層Ｈの最適な位置に絵柄が印刷されるまで繰り返し行われる。
【００５８】
なお、生産を開始するまでには、平均して８時間程の時間がかかる。
【００５９】
（２回目以降）
次に、仮台１０に対して原版５０を適切に調整した後（２回目以降）に、ホログラム記録材料層Ｈにホログラムを印刷して生産する際の工程について説明する。
【００６０】
まず、原版５０の設置された仮台１０が仮台位置決めピン２２，２３に押し当てられる（図２（ａ）及び図４のＳ１参照）。
【００６１】
次に、３箇所の仮台位置決めピン２２，２３と仮台１０との間に隙間がないことが確かめられる（図２（ａ）及び図４のＳ２参照）。
【００６２】
次に、仮台固定用あて止め部２１が固定される（図２（ａ）及び図４のＳ３参照）。
【００６３】
次に、生産が開始される（図４のＳ１０参照）。なお、生産を開始するまでの工程には、平均３０分程で足りる。
【００６４】
《作用・効果》
以上のように、本実施の形態の原版設置装置１によれば、印刷による生産を２回目以降に行う際に、生産を開始する前の準備にかかる時間を格段に短くすることができる。
【００６５】
すなわち、従来であれば、原版５０を変更する度に原版５０の位置合わせや遮光ブレード３０の位置調整を行わなければならないが、本実施の形態によれば、仮台１０に対して原版５０を適切に調整した後（２回目以降）であれば原版５０が仮台１０に位置合わせされた状態で設置されているので、仮台１０を原版台２０に設置するだけで原版５０の位置合わせの終了した状態になり、生産を開始する前の準備にかかる時間を格段に短くすることができる。
【００６６】
また、２回目以降の原版５０の位置調整に時間がかからないことや、仮台１０を持って移動させることで原版５０を移動させられることから、離型剤を原版台２０に設置する前に塗布することができる。このため、例えば使用する８時間前に離型剤を塗ることで、使用したいときに原版５０をすぐに使用することができる。
【００６７】
従来であれば、一例として、離型剤の持続枚数を超える数量を生産する場合には、あらかじめ離型剤を塗布しておき、８時間以上経過した別の原版５０を用いて位置調整を行うか（離型剤の塗られた原版を、離型剤を剥がさないように搬送することが難しかったことから、一般には、原版台に対して原版を位置合わせした後で離型剤を塗る作業を行っている点には留意されたい。）、原版台２０から原版５０を取り外さずに離型剤を塗布して８時間以上放置しなければならず、複製機を連続して使用することができなかった。
【００６８】
これに対して、本実施の形態によれば、１つの原版５０で印刷を行っている間に、別の原版５０に離型剤を塗って準備しておき、使用中の原版５０に塗られた離型剤の持続枚数を超える前に当該原版５０を仮台１０ごと原版台２０から取り外して、準備しておいた原版５０を仮台１０ごと原版台２０に設置してやることで、複製機を連続して使用することができる。
【００６９】
実際のところ、従来のように仮台１０を用いないものと比較して、本実施の形態による態様によれば、約２倍の生産量を実現することができた。
【００７０】
また、本実施の形態の仮台固定用あて止め部２１はθ方向に移動可能となり、ＸＹ平面において自在に角度を調整することができるようになっているので、ＸＹ平面における原版台２０に対する仮台１０の角度を自在に調整することができる。
【００７１】
また、側面仮台位置決めピン部２２が一対の側面仮台位置決めピン２２ａ，２２ｂを有しているので、仮台固定用あて止め部２１の角度を調整するのにあわせて、側面仮台位置決めピン２２ａ，２２ｂのいずれか一つに金属シムを噛ますことで、ＸＹ平面における仮台１０の角度を調整することができる。
【００７２】
また、本実施の形態では、第一側面原版支持部１１が２つの第一側面原版支持体１１ａ，１１ｂを有し、後面原版支持部１３が２つの後面原版支持体１３ａ，１３ｂを有している。このため、これらの位置関係を調整することで、ＸＹ平面における仮台１０に対する原版５０の角度を自在に調整することができる。
【００７３】
また、半円形状からなる浮き抑え１６が、原版５０の上方に位置する際には、各浮き抑え１６と原版５０の上面との間には間隙が形成されない状態になるので、離型剤の効果が弱くなり、貼り合わせたホログラム記録材料層Ｈが原版５０のフィルム５２から剥がれなくなったとしても、原版５０が持ち上がることを防止することができる。
【００７４】
なお、従来であれば、原版５０の厚みが異なることがあるので、原版台２０にこのような押さえ部材を設けたとしても、押さえ部材と原版５０との間に間隙が形成されてしまい、離型剤の効果が弱くなり、貼り合わせたホログラム記録材料層Ｈが原版５０のフィルム５２から剥がれなくなると、原版５０が持ち上がってしまうおそれがあったが、本実施の形態によれば、原版５０ごとに仮台１０を作るので、浮き抑え１６と原版５０との間に間隙が形成されることがなく、原版５０が持ち上がってしまう事態が生じることを防止することができる。
【００７５】
また、本実施の形態では、４つの浮き抑え１６で原版５０の四隅の上面を押さえるので、原版５０をバランスよく押さえることができる点で優れている。
【符号の説明】
【００７６】
１          原版設置装置
１０        仮台
１１        第一側面原版支持部
１１ａ，１１ｂ  第一側面原版支持体
１２        第二側面原版支持部，第二側面原版支持体
１３        後面原版支持部
１３ａ，１３ｂ  後面原版支持体
１４        前面原版支持部，前面原版支持体
１５        浮き抑え部
１６        浮き抑え
２０        原版台
２１        仮台固定用あて止め部
２２        側面仮台位置決めピン部（側面仮台位置決め部）
２２ａ，２２ｂ  側面仮台位置決めピン
２３        後面仮台位置決めピン部（後面仮台位置決め部）
４０        レーザ照射部
５０        原版
９０        ホログラム記録材料層供給部
９５        ホログラム記録材料層巻取部（ホログラム記録材料層回収部）
Ｌ          レーザ光
Ｈ          ホログラム記録材料層
【図１】
0006044092.tif 000002
【図２】
0006044092.tif 000003
【図３】
0006044092.tif 000004
【図４】
0006044092.tif 000005